(57)【特許請求の範囲】
【請求項１】
玄米投入ホッパー（３）と、投入された玄米を揚穀する揚穀機（４）と、該揚穀機（４）によって供給された玄米を搗精する精米機（６）と、搗精処理された米粒中に混入する石屑などの異物を選別・除去する石抜き機（７）と、前記精米機（６）で発生した糠を回収する糠回収装置（８）とを一体的に連結配置した石抜き精米機であって、
前記精米機（６）と石抜き機（7）との連結部分には、搗精処理済みの米粒を前記石抜き機（７）側へ案内する石抜き機投入樋（１４）と前記玄米ホッパー（３）側へ案内する玄米戻し樋（１５）とに分岐した精品排出樋（１２）を配設するとともに、その分岐部には二方向に切り替え可能な二方向切換弁（１３）を内装し、
さらに、前記二方向切換弁（１３）には、該二方向切換弁（１３）を前記玄米戻し樋（１５）側に切り替えたときには、前記揚穀機（４）及び精米機（６）の駆動を開始するとともに、前記石抜き機投入樋（１４）側に切り替えたときには、前記揚穀機（４）及び精米機（６）の駆動を継続させながら、前記石抜き機（７）の駆動を開始させるリミットスイッチ（４２）を設けたことを特徴とする石抜き精米機。
【発明の詳細な説明】
【技術分野】
【０００１】
本発明は玄米から乾式無洗米を製造することができる石抜き精米機に関する。
【背景技術】
【０００２】
従来、コイン精米施設に用いられる自動精米装置として、例えば、特許文献１に開示されものがある。このものは、精米室を複数回循環して玄米を精米し及び研米する精米装置を備えたもので、循環経路の途中にチャージタンクを設け、精米装置の排出経路側にチャージタンク側又は製品ホッパー側に切換える切替手段を設け、精米及び研米の初期は未精米及び未研米をチャージタンク側に切り替え、初期循環の精米及び研米を一時貯留するよう構成し、精米及び研米終了行程で精米及び研米を精米室に戻す構成としたものである。
【０００３】
この構成により、精米処理を行う際は、玄米を精米タンクで受けて精米装置へ供給して精米を行うが、精米初期は精白米の少量をチャージタンクに貯留させてから精米タンクへ還元させて循環精米が行われ、その余の精白米は製品ホッパーへ取り出して精米運転が継続される。また、精米終期の精白米は、チャージタンクに切替えて貯留させてから精米タンクへ戻して循環精米した後、製品ホッパーへ取り出すことができる。
【０００４】
また、精米完了後に研米処理を行う場合は、いったんチャージタンクで精白米を受けておき、精米機の抵抗板を全開（無抵抗）状態にして精白ロールを回転させた後、精白米を精米タンクに供給して研米処理を行う。これにより、循環精米、及び研米処理を行うためのチャージタンクを共用化し、構成を簡単にできるという作用・効果がある。
【０００５】
しかしながら、上記従来技術のように精米装置の循環経路中にチャージタンクを設けることは、コイン精米施設や精米小屋に設置するタイプの自動精米装置であれば問題はないが、スーパーや百貨店などの店頭精米と称される米の販売店舗においては、設置スペースが可能な限り小さい機械が望まれる。
【０００６】
【特許文献１】特開２００５−２６２１０２号公報
【発明の開示】
【発明が解決しようとする課題】
【０００７】
本発明は上記問題点にかんがみ、玄米を精米工程に一回通すことで簡便に乾式無洗米を製造することができ、しかも、設置スペースを縮小し、さらには、精米初期時及び精米終期時の循環精米時には石抜き機の駆動を停止して消費電力の削減を図ることができる石抜き精米機を提供することを技術的課題とする。
【課題を解決するための手段】
【０００８】
上記課題を解決するため本発明は、玄米投入ホッパー（３）と、投入された玄米を揚穀する揚穀機（４）と、該揚穀機（４）によって供給された玄米を搗精する精米機（６）と、搗精処理された米粒中に混入する石屑などの異物を選別・除去する石抜き機（７）と、前記精米機（６）で発生した糠を回収する糠回収装置（８）とを一体的に連結配置した石抜き精米機であって、前記精米機（６）と石抜き機（7）との連結部分には、搗精処理済みの米粒を前記石抜き機（７）側へ案内する石抜き機投入樋（１４）と前記玄米ホッパー（３）側へ案内する玄米戻し樋（１５）とに分岐した精品排出樋（１２）を配設するとともに、その分岐部には二方向に切り替え可能な二方向切換弁（１３）を内装し、さらに、前記二方向切換弁（１３）には、該二方向切換弁（１３）を前記玄米戻し樋（１５）側に切り替えたときには、前記揚穀機（４）及び精米機（６）の駆動を開始するとともに、前記石抜き機投入樋（１４）側に切り替えたときには、前記揚穀機（４）及び精米機（６）の駆動を継続させながら、前記石抜き機（７）の駆動を開始させるリミットスイッチ（４２）を設ける、という技術的手段を講じた。
【発明の効果】
【０００９】
請求項１記載の発明によれば、玄米投入ホッパー（３）に玄米を投入すると、揚穀機（４）によって揚穀されるとともに、精米機（６）に供給される。そして、精米機（６）の精白ロールの形状、精白ロールの回転数及び精白室の吸引静圧を制御することによって、精米機（６）の排出口から取り出される米粒は、該米粒を水とともに攪拌して得られる洗米水の濁度が４０ｐｐｍ以下という無洗米の基準を達成している。この無洗米は、精米工程を一回通すことで仕上げることができ、簡便に製造することができる。そして、精米初期は二方向切換弁（１３）を玄米戻し樋（１５）側に切り替えておくと、揚穀機（４）及び精米機（６）の駆動が開始されて、精米機（６）から排出された米粒が玄米投入ホッパー（３）へ還元させて循環搗精が行われる。このとき、石抜き機（７）の駆動は停止された状態にある。搗精開始から約２０秒を経過し、二方向切換弁（１３）を石抜き機投入樋（１５）側に切り替えると、二方向切換弁（１３）のリミットスイッチ（４２）がＯＮとなり、揚穀機（４）及び精米機（６）の駆動が継続されながら、石抜き機（７）の駆動が開始され、石抜き機投入樋（１４）側へ米粒が取り出されて石抜き選別機（７）に供給される。そして、石抜き選別機（７）においては、米粒中に混入する石屑、ガラス片などの異物が選別・除去された後、精品として取り出されることになる。以上のように、米粒を玄米投入ホッパー（３）へ還元させる循環搗精時には、石抜き機（７）の駆動が停止され、米粒を機外へ排出させる通常搗精時には、石抜き機（７）を駆動させることが可能であり、消費電力の削減を図ることができる。
【００１０】
なお、玄米投入ホッパー（３）と、揚穀機（４）と、精米機（６）と、石抜き機（７）と、除糠装置（８）とが連結配置されてコンパクトに一体化され、かつ、精品排出樋（１２）に二方向切換弁（１３）を内装するとともに、石抜き機投入樋（１４）と玄米戻し樋（１５）とが分岐して接続してあるから、循環経路中にチャージタンクを設ける必要がなく、スーパーや百貨店などの米の販売店舗であっても小さいスペースで設置することが可能になる。
【発明を実施するための最良の形態】
【００１１】
図１は本発明の実施形態に係る石抜き精米機を示す斜視図であり、図２は同石抜き精米機を別の方向から見たときの斜視図であり、図３は同石抜き精米機からカバーを取り去ったときの玄米投入ホッパー、精米機及び石抜き機等の配管を示す概略図であり、図４は同石抜き精米機の内部構造を示す縦断面図である。
【００１２】
図１乃至図４において、石抜き精米機本体１は、台部２ｂをヒンジ部２ａによって回動させて折り畳み可能に形成した玄米袋の載置台２と、玄米を受け入れるための角錐状の玄米投入ホッパー３と、玄米投入ホッパー３底部に設けられた投入口(図示せず)を開口させるシャッター３ａと、該シャッター３ａの開放により玄米投入ホッパー３内の玄米を揚穀する揚穀機４と、揚穀された玄米を一時待機させる貯留タンク５と、貯留タンク５から供給される玄米を、精白米又は無洗米に精白する精米機６と、精白された精白米中又は無洗米中に混在する石、ガラス等の異物を選別・除去する石抜き機７と、前記精米機６で発生する糠粉をサイクロンコレクターに吸引させ、該サイクロンコレクターの下部に設けたロータリーバルブから糠を排出する構成の糠回収装置８とを備えている。また、本実施形態の石抜き精米機１は、コインタイマー等（図示せず）を電気的に接続してコインの投入により揚穀機４、精米機６、石抜き機７、及び糠回収装置８の各モータが所定時間駆動されるように構成し、利用者が玄米を持ち込んで各自で精米を行う無人精米施設に適用することもできる。
【００１３】
図３に示すように、精米機６には、その上方に揚穀機４により揚穀された玄米を一時待機させる貯留タンク５が載置される一方、精米機６の前面壁６ａには（図３及び図５参照）、精白室内の調圧ダイヤル９、穀粒供給シャッター１０用のレバー１０ａ、操作パネル１１及び精品排出樋１２が設けられている。この精品排出樋１２には、把手１３ａの回動により、搗精処理済みの米粒を二方向に切り替え可能な二方向切換弁１３を内装するとともに、石抜き機７側へ案内する石抜き機投入樋１４と玄米ホッパー３側へ案内する玄米戻し樋１５とを分岐して配設しており、精米初期及び精米終期には二方向切換弁１３を玄米戻し樋１５側に切り替えておき、米粒を玄米投入ホッパー３へ還元させて循環搗精を行うと、精米初期及び精米終期に生じるムラ搗きを防止することができる。
【００１４】
さらに、図６に示すように、二方向切換弁１３は、精品排出樋１２内に回動可能に挿通させた回動軸１３ｂに軸着される一方、把手１３ａと対向する側の回転軸１３ｂには回動片１３ｃを軸着している。そして、精品排出樋１２の裏面側には、リミットスイッチ４２が設けられており、前記回動片１３ｃの回動によってリミットスイッチ４２がオンし、二方向切換弁１３を石抜き機投入樋１４側に切り替えたことを検知することができる構成となっている。符号１３ｄは二方向切換弁１３を確実に切り替えできるよう、回動片１３ｃの端面１３ｅと精品排出樋１２の開口縁１３ｆとを連結した引っ張りバネであり、符号１３ｇは精品排出樋１２を精米機６に取り付ける取り付け金具である。
【００１５】
図３及び図５に示すように、石抜き機７は、内部に送風ファンが内装された箱形の機枠７ａと、該機枠７ａに対して揺動可能に支持された多孔選別板7ｂからなる選別ケース７ｃとから主要部が構成され、前記機枠７ａの揺り上げ側には石屑を排出する石抜き樋７ｄが、揺り下げ側には精品を排出する精品排出樋７ｅがそれぞれ設けられている。符号７ｆは石抜き樋７ｄからの石屑や選別ケース７ｃ上に溜まった残留米を回収するための石・残留米回収箱であり、符号７ｇは選別ケース７ｃの多孔選別板を通過した砕米を回収するための砕米回収箱である。なお、符号Ｓは精品を袋詰めするための紙袋であり、符号Ｎは除糠サイクロン８ａからの糠を袋詰めするための紙袋であり、図６の符号４３は石抜き機７の全体を覆うカバーである。
【００１６】
図４は石抜き精米機の内部構造を示すため、図３のＡ−Ａ’を破断した縦断面図である。精米機６は、図４に示すように、貯留タンク５と連通するホッパー１６と、前記穀粒供給シャッター１０下方に設けられた供給路１７と、送穀室１８と、送穀ロール１９と、精白室２０と、精白ロール２１とを備えており、ホッパー１６に供給された玄米が送穀室１８へ供給され、この送穀室１８内の玄米を送穀室１８内の送穀ロール１９によって精白室２０へと移送し、この精白室２０の排出口３３をバネ３４の付勢力によって押圧する抵抗蓋３５、及び精白室２０内で回転する精白ロール２１によって玄米を攪拌しながら搗精圧力をかけて糠層を除去する構成である。精白ロール２１の表面には、精白筒２０内の長手方向において、前記送穀ロール１９による穀粒の移送とは逆方向に移送する精米突条２２が形成される（図４に示す精白ロール２１の例では、送穀ロール１９のリード角とは逆方向であり、リード角を約２２．５°〜３０°に形成した突条としている。）。
【００１７】
前記供給路１７内には、該供給路１７内の流路幅を調整する流量調整シャッター２３が設けられており、ホッパー１６に供給された玄米を一定流量で安定的に送穀室１８へ供給することができる。前記送穀室１８は、横軸２４と同軸上の円筒２５によって構成されている。
【００１８】
前記精白室２０は、多孔板又は網体によって形成される多孔壁除糠筒２６によって構成され、該多孔壁除糠筒２６の一端を円筒２５のフランジ２５ａにより固定し、他端を排出口を形成するフランジ３３ａにより固定する。そして、前記精白ロール２１及び送穀ロール１９は、主軸２４に軸装されており、その軸端部に軸着した回転プーリ２７と、回転用モータ２８に軸着したモータプーリ２９との間に巻回されたベルト３０によって、主軸２４が毎分１８００回以上の回転数で回転するように構成されている。符号３1はテンションプーリである。なお、前記主軸２４を中空状するとともに、精白ロール２１の突条２２に沿って穿孔した噴風溝３２を設け、主軸２４から噴風溝３２を介して精白室２０内に除糠用の噴風を送給する構成としてもよい。
【００１９】
前記精白室２０の排出口３３は、バネ３４の付勢力によって押圧する抵抗蓋３５を設ける。該抵抗蓋３５には、機壁の外方に延びる連結棒３6が連結され、該連結棒３６の中間部には前記バネ３４が嵌装され、前記調圧ダイヤル９の回転に伴って連結棒３６が左右に摺動してバネ３４の付勢力の強弱が調整できる構成となっている。符号４５は精品排出用の傾斜シュートである。また、貯留タンク５には揚穀機４から供給される穀粒の供給用開口部４０が穿設されるとともに、貯留タンク５からのオーバーフロー用開口部４４が穿設され、該開口部４４には、オーバーフロー樋４４を接続して満量になった米粒を玄米投入ホッパー３に還元することができる構成となっている。
【００２０】
符号３７は除糠室３８を形成する集糠樋であり、集糠管３９を介して図３に示す除糠サイクロン８ａの糠吸入口８ｂに連絡している。また、図３に示す除糠サイクロン８ａは、該サイクロン８ａ下流の排気管８ｃ側に吸引排風機８ｄを設け、サイクロン８ａ下部にロータリーバルブ８ｅを設けた構成である。吸引排風機８ｄとしては、精白室２０での吸引静圧が約５００Ｐａ（５×１０−３気圧）以上となる大型の吸引ファンを採用するのが好ましい。これにより、精白室２０においては、米粒表面の糠切れの向上及び米粒の温度上昇抑制の効果があり、糠回収装置８においては、排風機８ｄ内への糠の付着防止や、ロータリーバルブ８ｅによる間欠的な糠排出による糠の飛散防止の効果がある。符号８ｆはバルブモータであり、符号8ｇは糠排出樋である。また、除糠サイクロン８ａは、図２及び図３に示すように、カバーから突出した回動レバー８ｈが設けられおり、該レバー８ｈを摺動することにより、除糠サイクロン８ａが支点８ｉを中心に回動され、ロータリーバルブ８ｅ下方の糠排出樋８ｇを第一糠受袋Ｎ１直上又は第二糠受袋Ｎ２直上に移動可能な構成となっている。
【００２１】
図７は電気回路の結線図であり、これを参照して各モータの電気的な接続を説明する。精米機７用のモータ２８及び石抜き機用のモータ４６は三相交流モータであり、それぞれ電磁接触器４７及びサーマルリレー４８を介して三相電源ＲＳＴに結線されている。また、糠回収装置８に設けられるバルブモータ８ｆ、及び揚穀機４用のモータ４９はどちらも単相交流モータであり、バルブモータ８ｆは精米機７用のモータ２８のＲＴ相に結線される一方、揚穀機用モータ４９は三相電源のＴ相及びリレー回路５０に結線されている。さらに、排風機８ｄは電磁接触器４７ｃを介して三相電源ＲＳＴに結線されている。
【００２２】
操作パネル１１内には、電源スイッチ５１、過負荷ランプ５２、停止押しボタン５３、運転押しボタン５４及び電流計５５が配設され、電源スイッチ５１からのオン信号が、精米機用モータ２８のサーマルリレー４８ａの接点及び石抜き機用モータ４６のサーマルリレー４８ｂの接点にそれぞれ連絡するように結線されている。また、電源スイッチ５１からはトランス５６を介してリレー回路５０に結線されるとともに、リレー回路５０からは揚穀機用モータ４９、及び電磁接触器４７ａ，４７ｂ，４７ｃのそれぞれの接点に結線されている。さらに、二方向切換弁１３を石抜き機投入樋１４側に切り替えたことを検知するリミットスイッチ４２が、リレー回路５０、及びサーマルリレー４８ａ，４８ｂのそれぞれの接点に結線されており、この構成により、二方向切換弁１３を玄米戻し樋１５側に切り替えておくと、揚穀機４及び精米機６の駆動が開始され、二方向切換弁１３を石抜き機投入樋１５側に切り替えると、リミットスイッチ４２がＯＮとなり、揚穀機４及び精米機６の駆動が継続されながら、石抜き機７の駆動を開始することができる。
【００２３】
以下、上記構成における作用を説明する。石抜き精米機の利用者が原料となる玄米を玄米投入ホッパー３内に投入するとともに、あらかじめ玄米戻し樋１５側に二方向切換弁１３を切換え、調圧ダイヤル９を「０」にセットしておく。次いで、精米に必要な所定金額を図示しないコインタイマーに投入すると、操作パネル１１が操作可能となり、この状態で運転スイッチをオンすると石抜き精米機１の各駆動部が所定時間駆動することになる。これにより、玄米投入ホッパー３内の玄米は揚穀機４により揚穀され、貯留タンク５を介して下方の精米機６に供給される。精米機６では、穀粒供給シャッター１０のノブ１０ａを引いてシャッター１０を開き、前記調圧ダイヤル９を所望の位置にセットし直す。玄米は、供給路１７であらかじめ調整した流量調整シャッター２２よって一定流量で安定的に送穀室１８へ供給されることになる。
【００２４】
送穀室１８へ供給された玄米は、送穀ロール１９の回転作用によって精白室２０に送り込まれ、この精白室２０の排出口２８を押圧する抵抗蓋３７、及び精白室２０内で回転する精白ロール２１によって玄米を攪拌しながら搗精圧力をかけて糠層を除去し、精米が行われる。精白室２０内で回転する精白ロール２１は、毎分１８００回以上の回転数で回転され、かつ、精白ロールの表面は、穀粒の移送方向とは逆方向に移送する精米突条２２が形成され、しかも、精白室２０での吸引静圧が５００Ｐａ以上に維持されているから、精白ロール２１の高速回転により精米の高効率化を実現するとともに、逆方向にねじった精米突条２２により米粒を精米室２０の中間部に押し戻そうとする作用が生じ、これにより、高速回転による米粒どうしが高速で擦れ合って滑るという発熱ロスを防止し得て、さらには、精白室２０での吸引静圧が高いことにより、米粒表面の糠切れ促進及び米粒の温度上昇の抑制が可能となる。
【００２５】
以上の作用により、玄米は多孔壁除糠筒２６にこすりつけられたり、精米突条２２により米粒を押し戻して搗精されたりすることで糠層が除去されるとともに、米粒表面の溝部に詰まった微細な糠粉等も同時に吸引除去される。そして、排出口３３及び精品排出樋１２から取り出された米粒は、該米粒を水とともに攪拌して得られる洗米水の濁度が４０ｐｐｍ以下という基準の無洗米に仕上がっている。一方、精米室２０で除去された糠は、除糠室３８から集糠管３７を介して除糠サイクロン８ａに集糠された後、除糠サイクロン８ａ下部のロータリーバルブ８ｅを介して紙袋Ｎに回収されることになる。
【００２６】
洗米水の濁度とは、水と共に試料米を攪拌して得られる洗米水の濁度の測定値であり、一例をあげると、精米試料２０ｇを三角フラスコに入れ、２００ｍｌの水を注ぎ、ゴム栓をして振とう器（ヤマト科学（株）製 形式ＳＡ−３１Ａ等）により１０分間振とう（１４４〜１５０サイクル／分）する。得た洗米水５０ｍｌを１０倍に希釈して濁度計（野田通信社製 型式Ｍ−２０４等）で３回測定する。その平均値が濁度である。
【００２７】
精米機６における搗精初期は精白室２０内の圧力が低いためムラ搗きになりやすく、二方向切換弁１３、玄米戻し樋１５、玄米投入ホッパー３、揚穀機４、貯留タンク５を介して精米機６に返還され、再搗精されることになる。そして、例えば搗精開始から約２０秒を経過して、利用者が目視により所望の白度（又は濁度）に達したと判断すれば、二方向切換弁１３を石抜き機投入樋１４側に切換えて石抜き作業が開始される。
【００２８】
このとき、二方向切換弁１３のリミットスイッチ４２がＯＮ状態となり、リレー回路５０から各モータに指令し、揚穀機４及び精米機６の駆動を継続しながら、石抜き機７の駆動が開始されるよう制御される。
【００２９】
石抜き選別機７においては、精米機６から排出された白米又は無洗米とこれらに混入する石屑との混合粒は、石抜き機７の選別ケース７ｂ上に供給され、白米は精品排出樋７ｄから排出されて紙袋Ｓに袋詰めされるとともに、石屑は揺り上げ側に寄せられて石抜き樋７ｃから排出されることになる。また、選別ケース７ｂ上に溜まった残留米は石・残留米回収箱７ｅに、選別ケース７ｂの多孔選別板を通過した砕米は砕米回収箱７ｆにそれぞれ回収されることになる。
【００３０】
以上のように精米処理および無洗米加工処理が行われるのであるが、本発明の石抜き精米機１では、精米工程を一回通すことで砕粒が発生するおそれはほとんどなく、簡便に無洗米を製造することができる。しかも、載置台２と、玄米投入ホッパー３と、揚穀機４と、貯留タンク５と、精米機６と、石抜き機７と、除糠装置８とがコンパクトに一体化しており、スーパーや百貨店などの米の販売店舗であっても小さいスペースで設置することができる。
【００３１】
また、米粒の循環搗精時には、石抜き機７の駆動が停止され、米粒の通常搗精時には、石抜き機７を駆動させることが可能であり、消費電力の削減を図ることができる。
【００３２】
符号４１は貯留タンク５に設けたオーバーフロー樋であり、タンク５が玄米で満杯になった場合に玄米投入ホッパー３へ還元することができる。また、精米の終了時は、二方向切換弁１３を再度玄米戻し樋１５側に切換えると、リミットスイッチ４２がＯＦＦとなり、石抜き機７の駆動が停止され、揚穀機４及び精米機６のみ駆動が継続され、消費電力の削減を図りながら精米終期に生じるムラ搗き米を再搗精する作業が可能となる。
【図面の簡単な説明】
【００３３】
【図１】本発明の実施形態に係る石抜き精米機を示す斜視図である
【図２】同石抜き精米機を別の方向から見たときの斜視図である。
【図３】同石抜き精米機からカバーを取り去ったときの玄米投入ホッパー、精米機及び石抜き機等の配管を示す概略図である。
【図４】同石抜き精米機の内部構造を示す縦断面図である。
【図５】石抜き機からカバーを取り去ったときの斜視図である。
【図６】精品排出樋、石抜き機投入樋及び玄米戻し樋の概略拡大図である。
【図７】電気回路の結線図である。
【符号の説明】
【００３４】
１  石抜き精米機本体
２  載置台
３  玄米投入ホッパー
４  揚穀機
５  貯留タンク
６  精米機
７  石抜き機
８  除糠装置
９  調圧ダイヤル
１０  穀粒供給シャッター
１１  操作パネル
１２  精品排出樋
１３  二方向切換弁
１４  石抜き機投入樋
１５  玄米戻し樋
１６  ホッパー
１７  供給路
１８  送穀室
１９  送穀ロール
２０  精白室
２１  精白ロール
２２  精米突条
２３  流量調整シャッター
２４  主軸
２５  円筒
２６  多孔壁除糠筒
２７  回転プーリ
２８  回転用モータ
２９  モータプーリ
３０  ベルト
３１  テンションプーリ
３２  噴風溝
３３  排出口
３４  バネ
３５  抵抗蓋
３６  連結棒
３７  集糠樋
３８  除糠室
３９  集糠管
４０  供給用開口部
４１  オーバーフロー樋
４２  リミットスイッチ
４３  カバー
４４  オーバーフロー用開口部
４５  傾斜シュート
４６  石抜き機用モータ
４７  電磁接触器
４８  サーマルリレー
４９  揚穀機用モータ
５０  リレー回路
５１  電源スイッチ
５２  過負荷ランプ
５３  停止押しボタン
５４  運転押しボタン
５５  電流計
【図１】
0004888309.tif 000002
【図２】
0004888309.tif 000003
【図３】
0004888309.tif 000004
【図４】
0004888309.tif 000005
【図５】
0004888309.tif 000006
【図６】
0004888309.tif 000007
【図７】
0004888309.tif 000008